(57)【要約】【課題】記録媒体に記録する際に、操作性を容易にすることが可能なＨＤＤ内蔵型ディジタルテレビジョンの提供を目的とする。【解決手段】マイク１８により音声情報を取得するとともに、取得した音声情報により音声プログラム１００を実行して映像データを録画する際の録画設定を自動で行う。このとき、音声プログラム１００は、取得した音声情報に対応して、コマンドテーブル１００ｂに記録された音声情報とコマンド情報の比較を行いながら、映像データをＨＤＤ１５ａに録画する際の画質と音質の設定を変更する【選択図】図１
2008103909.tif 000002
【特許請求の範囲】
【請求項１】
入力された映像データを圧縮させて不揮発性メモリとしてのＨＤＤに記録するＨＤＤ記録部を有し、画質と音質の記録方法を変化させて録画を行うＨＤＤ内蔵型ディジタルテレビジョンにおいて、
音声情報を取得するマイクと、
リモコン装置を用いた操作に基づいて、制御信号を出力するマイコンと、
上記マイコンが駆動するためのプログラムやテーブルを記録する不揮発性メモリとを有し、
上記不揮発性メモリは、上記マイクにより取得された音声情報を音声認識により、上記マイコンが認識する音声認識プログラムと、
上記ＨＤＤ記録部への記録時における画質の設定と音質の設定とを一つのコマンド情報にて対応付けて記録するコマンドテーブルとを記録し、
上記音声認識プログラムは、取得した音声情報と上記コマンドテーブルに記録された認識情報とを上記マイコンが比較して、音声情報と上記認識情報とが一致すると判断した場合は、上記マイコンが、録画時における画質と音質の設定を上記ＨＤＤ記録部に指示する構成であることを特徴とするＨＤＤ内蔵型ディジタルテレビジョン。
【請求項２】
入力された映像データを記録手段に録画する際、録画方法設定手段にて録画方法を選択して記録を行うＨＤＤ内蔵型ディジタルテレビジョンにおいて、
音声情報を取得する音声入力手段と、
上記音声入力手段により取得された音声を認識する音声認識手段と、
上記記録手段への記録時における画質の設定と音質の設定とを一つのコマンド情報にて対応付けて記録する画質／音質対応付け手段と、
上記音声認識手段が認識した音声を基に、上記画質／音質対応付け手段に記録された認識情報を判断して上記録画方法設定手段に出力する認識結果処理手段とを備えることを特徴とするＨＤＤ内蔵型ディジタルテレビジョン。
【請求項３】
上記画質／音質対応付け手段は、映像信号の圧縮方法と音声信号の圧縮方法とを対応付けて記録することを特徴とする請求項２に記載のＨＤＤ内蔵型ディジタルテレビジョン。
【請求項４】
上記画質／音質対応付け手段は、ユーザからの指示を受け付けて画質の設定と音質の設定との対応付けを選択可能であるとともに、
上記対応付けされた画質の設定と音質の設定とを実行するコマンド情報を、上記音声入力手段から入力された音声に基づいて変更可能であることを特徴とする請求項２または請求項３のいずれかに記載のＨＤＤ内蔵型ディジタルテレビジョン。
【請求項５】
上記画質／音質対応付け手段は、録画時における画像の圧縮率の設定を上記コマンド情報に対応付けすることを特徴とする請求項２〜請求項４のいずれかに記載のＨＤＤ内蔵型ディジタルテレビジョン。
【発明の詳細な説明】
【技術分野】
【０００１】
記録装置を内蔵するＨＤＤ内蔵型ディジタルテレビジョンに関し、特に記録時に画質や音質を変更して記録可能なＨＤＤ内蔵型ディジタルテレビジョンに関する。
【背景技術】
【０００２】
図５は、従来のＨＤＤ内蔵型ディジタルテレビジョンのブロック構成図である。同図より、ＨＤＤ内蔵型ディジタルテレビジョン１は、テレビジョン放送を受信するチューナ部２と、チューナ部が受信したテレビジョン放送に所定の信号処理を施すフロントエンド３とバックエンド４、フロントエンド３から入力された映像信号並びに音声信号を記録する記録媒体５、バックエンド４を介して出力される映像信号を基に映像を表示する表示パネル６、並びに音声を表示するスピーカ７、上記各構成要素を制御する制御部８とを有する構成である。
【０００３】
上記構成により、チューナ部２はテレビジョン放送よりビデオ信号を抽出し、フロントエンド３に出力する。フロントエンド３はビデオ信号により、映像信号、音声信号、さらには同期信号を生成しバックエンド４に出力する。バックエンド４では映像信号並びに音声信号に所定の信号処理が行われた後、映像信号を表示パネル６に、音声信号をスピーカ７に出力する。また、チューナ部２にて受信されたビデオ信号を記録媒体５に記録する場合は、フロントエンド３から出力されたビデオ信号は、ＭＰＥＧ方式により圧縮され、記録媒体５の所定のアドレスに記録される。このとき、制御部８はユーザからのリモコン装置を用いた指示を受付け上述した各機能を実現するよう指示を出す。
【０００４】
上述した従来のＨＤＤ内蔵型ディジタルテレビジョン１においては、ＨＤＤ内蔵型ディジタルテレビジョン１の発展に伴い、様々な機能が実現可能となっている。具体的には、バックエンド４で行われるコントラスト調整やガンマ補正等の画質調整、さらにはトーンコントロールによる音声調整。また、記録媒体５に映像を記録させる場合においては、可変レート圧縮（ＶＢＲ）などを用いて、映像に応じた圧縮レートを変化させ、記録媒体５のメモリ使用量を調整する。上述した各機能はリモコン装置等を用いてユーザにより選択でき、所望に応じた調整が可能である。
【０００５】
しかしながら、上述した各機能を使いこなすには、一定の習熟度を必要とする。つまり、ユーザ側は様々な機能がどのような機能を実現するかを理解するため、取り扱い説明書を参照した上で、上記機能を使用する必要がある。さらに、上述したＨＤＤ内蔵型ディジタルテレビジョン１の各機能を使いこなすために操作方法を理解する必要も生じてくる。上述したＨＤＤ内蔵型ディジタルテレビジョン１の各機能の内、バックエンドにて行われる映像信号と音声信号の処理に対して、ユーザ側の操作の負担を軽減する方法として以下の方法が開示されている。つまり、映像と音声に施す信号処理を一つの操作で一括して行えるようする。これによりユーザは、一つ操作で映像と音声の調整を行うことが可能となり、操作による負担を軽減する（例えば、特許文献１参照。）。
【０００６】
また、バックエンドにて行われる映像信号と音声信号の処理に対して、ユーザ側の操作の負担を軽減する他の方法として以下の方法が開示されている。つまりマイコンがユーザの嗜好にあった画質調整と音質調整とを学習することにより、その後の調整を自動で行う構成としている（例えば、特許文献２参照。）。
【０００７】
そして、バックエンドにて行われる映像信号と音声信号の処理に対して、ユーザ側の操作の負担を軽減する他の方法として以下の方法が開示されている。つまり、複数の映像信号と音声信号に対する信号処理を、カテゴリーごとに管理することにより、ユーザは上記カテゴリーを選択することにより、映像信号と音声信号に対する信号処理を行う(例えば、特許文献３参照)。
【０００８】
さらに、バックエンドにて行われる映像信号と音声信号の処理に対して、ユーザ側の操作の負担を軽減する他の方法として以下の方法が開示されている。番組内容に応じて自動的に音声信号に対する音声処理を切替え、ユーザ側の操作に対する負担を軽減する（例えば、特許文献４参照。）。
【特許文献１】特開平９−２９４２３０
【特許文献２】特開２００５−９１１７２
【特許文献３】特開２００３−２７４３０１
【特許文献４】特開２００１−２５７９６４
【発明の開示】
【発明が解決しようとする課題】
【０００９】
上述した特許文献１〜特許文献４の発明は、リモコン装置等のボタン選択を介在するため、操作性を真に容易にするものではなった。つまり、複数の操作を一つにまとめてはいるものの、操作時にはボタン選択による操作を行う必要がある。ＨＤＤ内蔵型ディジタルテレビジョンの前述した各機能が多数であれば、それだけリモコン装置が有する操作キーの数も多くなる。よって所望の操作を行う際にはそれら多くの操作キーの中から必要な操作キーの選択が必要となる。そのため、以前として操作性を容易にしたとは言えなかった。さらに、上述した各操作は映像を表示する際の信号処理に対するものであり、記録媒体に記録する際の記録方法の選択を簡易化するものはなかった。
【００１０】
本発明は、上記課題にかんがみてなされたもので、記録媒体に記録する際に、操作性を容易にすることが可能なＨＤＤ内蔵型ディジタルテレビジョンの提供を目的とする。
【課題を解決するための手段】
【００１１】
上記課題を解決するために、本発明の請求項２にかかる発明では、入力されたビデオ信号を記録手段に録画する際、録画方法設定手段にて録画方法を選択して記録を行うＨＤＤ内蔵型ディジタルテレビジョンにおいて、
【００１２】
ユーザが発声した音声が入力される音声入力手段と、上記音声入力手段から入力された音声を認識する音声認識手段と、上記記録手段への記録時における画質の設定と音質の設定とを対応付けて記録するとともに、上記対応付けされた画質と音質との調整を実行するコマンド情報とを対応付けて記録する画質／音質対応付け手段と、上記音声認識手段が認識した音声を基に、上記画質／音質対応付け手段に記録された認識情報を判断して上記録画方法設定手段に指示を出す認識結果処理手段とを備える構成としてある。
【００１３】
上記のように構成した発明では、音声入力手段にて入力された音声は、音声認識手段によって音声認識が行われ、認識結果処理手段にて、画質／音質対応付け手段にて対応付けされた認識情報と比較される。このとき、画質／音質対応付け手段は、画質の設定と音質の設定とを所定のコマンド情報として対応付けて記録しており、認識結果手段は、音声認識手段にて音声認識された音声と、上記認識情報とが一致すると判定した場合は、コマンド情報に対応する画質の設定と音質の設定とを実行するよう録画方法設定手段に指示を出す。これにより、録画時における、画質と音質の設定を一つのコマンド情報にて実行するとともに、上記実行される認識情報は音声認識に基づいて音声により行われるため、ユーザは録画時における画質と音質の設定を簡易に行うことが可能となる。
【００１４】
また、録画時に設定される画質の設定としては、ビットレートを可変する圧縮方法が存在する。一例として画質においては可変レート圧縮を用いた映像の圧縮方法や、Ｄ／Ｍ１やＤ／Ｍ２といった音声の圧縮方法が存在する。そのため、上記画質／音質対応付け手段が対応付ける画質と音質の設定項目における具体的な構成の一例として請求項３に記載の発明では、上記画質／音質対応付け手段は、画質の圧縮方法と音質の圧縮方法とを対応付けて記録する構成としてある。
【００１５】
上記のように構成した発明では、画質／音質対応付け手段は、画質の圧縮方法と音質の圧縮方法を対応付けて記録する。これにより、上述したビットレートを可変する画質や音質の圧縮方法を利用するＨＤＤ内蔵型ディジタルテレビジョンにも適応することができる。
【００１６】
そして、画質／音質対応付け手段は、工場出荷時に予めコマンド情報や設定項目が固定されたものに限定されず、ユーザ側で任意に変更可能な構成としてもよい。そのため、請求項４に記載の発明では、上記画質／音質対応付け手段は、ユーザからの指示を受け付けて画質の設定と音質の設定との対応付けを選択可能であるとともに、上記対応付けされた画質の設定と音質の設定とを実行する認識情報を、上記音声入力手段から入力された音声にて変更可能である構成としてある。
【００１７】
上記のように構成された発明では、ユーザによって音声認識にて判断される認識情報や、録画の設定を任意に変更することによりユーザの使い勝手のよい操作を実現することができる。
【００１８】
さらに、画質／音質対応付け手段が対応つける設定項目としては、可変レート圧縮を用いてビットレートを変換するものに限定されず、データ全体の圧縮率を一律に変換するものであってもよい。そのため、請求項５に記載上記画質／音質対応付け手段は、録画時における画像の圧縮率の設定を上記コマンド情報に対応付けする構成としてある。
上記のように構成した発明では、データ全体を一律に圧縮するものに対しても適応することが可能となる。
【００１９】
また、上述した課題を解決するための具体的な構成の一例として請求項１に記載の発明は、入力された映像データを圧縮させて不揮発性メモリとしてのＨＤＤに記録するＨＤＤ記録部を有し、画質と音質の記録方法を変化させて録画を行うＨＤＤ内蔵型ディジタルテレビジョンにおいて、
音声情報を取得するマイクと、リモコン装置を用いた操作に基づいて、制御信号を出力するマイコンと、上記マイコンが駆動するためのプログラムやテーブルを記録する不揮発性メモリとを有し、上記不揮発性メモリは、上記マイクにより取得された音声情報を音声認識により、上記マイコンが認識する音声認識プログラムと、上記ＨＤＤ記録部への記録時における画質の設定と音質の設定とを一つのコマンド情報にて対応付けて記録するコマンドテーブルとを記録し、上記音声認識プログラムは、取得した音声情報と上記コマンドテーブルに記録された認識情報とを上記マイコンが比較して、音声情報と上記認識情報とが一致すると判断した場合は、上記マイコンが、録画時における画質と音質の設定を上記ＨＤＤ記録部に指示する構成である。
【発明の効果】
【００２０】
以上説明したように本発明によれば、記録媒体に記録する際に操作性を容易にすることが可能なＨＤＤ内蔵型ディジタルテレビジョンの提供することができる。
また請求項３にかかる発明によれば、ビットレートを可変する画質や音質の圧縮方法を利用するＨＤＤ内蔵型ディジタルテレビジョンにも適応することができる。
そして請求項４にかかる発明によれば、ユーザの使い勝手のよい操作を実現することができる。
さらに請求項５にかかる発明によれば、データ全体を一律に圧縮するものに対しても適応することが可能となる。
さらに請求項１のような、より具体的な構成において、上述した請求項２〜請求項５の各発明と同様の作用を奏することはいうまでもない。
【発明を実施するための最良の形態】
【００２１】
以下、下記の順序に従って本発明のＨＤＤ内蔵型ディジタルテレビジョン１０の実施形態を説明する。
（１）実施の形態
（１−１）本発明のＨＤＤ内蔵型ディジタルテレビジョンの構成
（１−２）音声認識方法
（１−３）録画モード設定方法
（１−４）コマンドテーブル作成方法
（２）実施の形態のまとめ
【００２２】
（１）実施の形態
（１−１）本発明のＨＤＤ内蔵型ディジタルテレビジョンの構成
以下、図１〜図４を参照して、この発明に係るＨＤＤ内蔵型ディジタルテレビジョンを具体化した実施の形態について説明する。本発明の実施の形態におけるＨＤＤ内蔵型ディジタルテレビジョン１０は、音声認識に基づいて、記録時における記録方法の選択を行う。ここで述べる記録方法とは、録画時における画質と音質の設定のことである。図１はＨＤＤ内蔵型ディジタルテレビジョン１０のブロック構成図である。ＨＤＤ内蔵型ディジタルテレビジョン１０は、テレビジョン放送または、外部からのビデオ信号を受信して、映像と音声を出力するとともに、受信したビデオ信号を映像データとして内蔵する記録媒体に記録させることが可能である。
【００２３】
上述した機能を実現するため、ＨＤＤ内蔵型ディジタルテレビジョン１０は、アンテナ２０が受信するテレビジョン放送よりユーザが所望のビデオ信号を抽出するチューナ部１１と、外部機器と接続してビデオ信号を受信する外部入力端子１９と、チューナ部１１および外部入力端子１９より受信したビデオ信号より、映像信号、音声信号、および同期信号とを分離する同期分離回路１２と、同期分離回路１２が分離した映像信号と音声信号にマイコン１３ａの指示の基所定の信号処理を施す制御部１３と、リモコン装置３０の操作による指示をマイコン１３ａに出力するリモコンＩ／Ｆ１４と、映像データを記録するＨＤＤ記録部１５と、映像を表示するための表示パネル１６、音声を出力するためのスピーカ１７とから構成されている。さらに、音声情報を取得するためのマイク１８とを有している。
【００２４】
本発明の実施の形態でのマイク１８は、当該ＨＤＤ内蔵型ディジタルテレビジョン１０に対して図示しない接続端子を介して取り外し可能に接続され、音声情報をＨＤＤ内蔵型ディジタルテレビジョン１０に入力する。また、マイク１８の構成としては、当該ＨＤＤ内蔵型ディジタルテレビジョン１０と接続端子を介して接続するものに限定されない。マイク１８の他の構成としては、リモコン装置３０にマイク１８が実装される構成としてもよい。この場合、マイク１８を介して入力される音声情報は、Ａ／Ｄ変換された後、赤外線信号に変換され、リモコンＩ／Ｆ１４に受信される。リモコンＩ／Ｆ１４は、受信した赤外線信号を再度電気信号に変換し、マイコン１３ａに出力する。これにより、リモコン装置３０に実装されたマイク１８を介して、音声情報が当該ＨＤＤ内蔵型ディジタルテレビジョン１０に出力される。
【００２５】
本発明の実施の形態でのＨＤＤ内蔵型ディジタルテレビジョン１０のチューナ部１１は、アナログ放送とディジタル放送との両方を受信可能な構成としている。しかしながら、チューナ部１１の構成はこれに限定されず、ディジタル放送のみを受信する構成としてもよい。また、表示パネル１６は、液晶パネルディスプレイ、プラズマパネルディスプレイ、さらにはブラウン管ディスプレイのいずれかで構成されている。
【００２６】
上述した構成のＨＤＤ内蔵型ディジタルテレビジョン１０の具体的な機能について説明する。ユーザがリモコン装置３０を用いてチャネルの選択を行うと、リモコンＩ／Ｆ１４を介して操作信号がマイコン１３ａに出力される。マイコン１３ａは上記信号を受け取ると、チューナ部１１にリモコン装置３０により選択されたチャネルに対応した放送を受信するよう指示を出す。チューナ部１１はマイコン１３ａからの制御信号を受けて、アンテナ２０が受信したテレビジョン放送より選択されたチャネルに対応するビデオ信号を検波して同期分離回路１２に出力する。
【００２７】
チューナ部１１より出力されたビデオ信号は、同期分離回路１２に出力され、同期分離回路１２はビデオ信号より同期信号と映像信号さらには音声信号を分離して、制御部１３に出力する。制御部１３は、マイコン１３ａの指示の基、映像信号と音声信号に所定の信号処理を行うものである。そのため、制御部１３は、マイコン１３ａが駆動するためのプログラム等を記録するＲＯＭ１３ｂや、マイコン１３ａのワークテーブルとして働くＲＡＭ１３ｃ、映像信号に所定の信号処理を施すスケーラ部１３ｄ、さらには音声信号に所定の信号処理を施す音声回路１３ｅとを有している。上記構成により、同期分離回路１２を介して入力された映像信号は、スケーラ部１３ｄにて信号処理を用いた画質調整が行われるとともに表示パネル１６の画素数に合わせてスケーリング処理を施され、表示パネル１６に出力される。また同様に、音声信号も音声回路１３ｅにてトーンコントロールや増幅が行われ、音声を出力するスピーカ１７に出力される。
【００２８】
次に、入力したビデオ信号を映像データとして記録する場合を説明する。ユーザからリモコン装置３０を用いてビデオ信号の録画が指示されると、ビデオ信号は、同期分離回路１２を介してＨＤＤ記録部１５へ出力される。ＨＤＤ記録部１５は、記録媒体として不揮発性メモリとしてのＨＤＤを有するとともに、入力されたビデオ信号を圧縮して記録を行う。さらに、ビデオ信号の再生時には、ビデオ信号の圧縮を解凍して制御部１３に出力する。そのため、ＨＤＤ記録部１５は、記録媒体であるＨＤＤ１５ａと、ビデオ信号を圧縮するエンコーダ１５ｂ、さらには圧縮されたビデオ信号を解凍するデコーダ１５ｃと、上記エンコーダ１５ｂとデコーダ１５ｃとを制御するコントローラ１５ｄとを有している。  
【００２９】
ＨＤＤ記録部１５の構成については、周知技術であるため、ここでは簡易的な説明に留める。同期分離回路１２を介して入力されたビデオ信号は、ＨＤＤ記録部１５に出力される。このとき、入力されたビデオ信号がアナログ放送であれば、コントローラ１５ｄによりビデオ信号はエンコーダ１５ｂに出力される。エンコーダ１５ｂは、ビデオ信号をＭＰＥＧ方式によりデータを圧縮する。その後、コントローラ１５ｄは、圧縮されたデータをＨＤＤ１５ａの所定のメモリ領域に記録する。入力されたビデオ信号がディジタル放送であれば、ビデオ信号は予めＭＰＥＧ方式にて圧縮されているため、コントローラ１５ｄは、録画方法の指示がない場合は、ビデオ信号のデータをそのままＨＤＤ１５ａに記録する。録画方法の指示を受けた場合は、変換を行いＨＤＤ１５ａに記録する。
【００３０】
上述したコントローラ１５ｄが圧縮後のデータをＨＤＤ１５ａに記録する方法は、ユーザのリモコン装置３０の操作により任意に選択可能である。映像信号の記録方法の一例としては、ＶＢＲ（Variable Recording )方式により、映像の動きに合わせてフレーム当たりの圧縮率を調整して圧縮することで、再生時の画質を調整することが可能である。また、ＶＢＲを用いた圧縮方法では、圧縮後のデータ容量は変化する。また、解凍後の画質もある程度劣化する。そのため、再生時の画質を４段階に分けて調整可能であり、データ容量や画質に基づいてキャラクタライズされる。ちなみに、画質の高いものからＸＰ（高画質）、ＳＰ（通常）、ＬＰ（長時間）、ＥＰ（長時間）と表示している。また、その他の映像信号の記録方法としては、フレーム当たりの圧縮率を一定にして圧縮を行う固定ビットレート（ＣＢＲ）が、挙げられる。
【００３１】
音声信号の記録方法の一例としては、再生時の音質の設定を記録時の圧縮率に基づいて選択可能である。音質の設定としては、圧縮率の高い順よりＤ／Ｍ１およびＤ／Ｍ２を選択可能である。この場合Ｄ／Ｍ２の方が、Ｄ／Ｍ１に比べて圧縮後のデータ容量が多くなるとともに、解凍後の音質もＤ／２の方が劣化が少ない。また、音声信号の圧縮方法として、他にＬ−ＰＣＭ（非圧縮）を選択するものであってもよい。
【００３２】
上述したようにエンコーダ１５ｂにて圧縮が行われた後、コントローラ１５ｄにて圧縮されたデータをＨＤＤ１５ａへの記録が行われる。その後、ユーザがリモコン装置３０の操作によってビデオ信号の再生を指示すると、コントローラ１５ｄは、ＨＤＤ１５ａに記録されたデータの読み出しを行い、デコーダ１５ｃに出力される。さらに、デコーダ１５ｃにより圧縮の解凍が行われ、その後、制御部１３に出力され映像や音声を出力することとなる。
【００３３】
前述した構成により、ＨＤＤ内蔵型ディジタルテレビジョン１０は入力されたビデオ信号より映像と音声を出力するとともに、内蔵されたＨＤＤ記録部１５にビデオ信号を記録する。ＨＤＤ記録部１５への記録は、前述したようにリモコン装置３０を用いた操作に基づいて実行される。しかしながら、ＨＤＤ内蔵型ディジタルテレビジョン１０が有する機能が多くそれによりリモコン装置３０の操作キーが多くなる場合などは、操作キーを選択するだけでも煩わしいものとなりユーザは簡易に録画操作を行うことができない。そこで、本発明のＨＤＤ内蔵型ディジタルテレビジョン１０では、音声認識を用いて録画の際の設定を自動で行うことで、ビデオ信号の録画操作を簡易にしている。
【００３４】
（１−２）音声認識の手法
本発明の音声認識の具体的な構成の一例とて、ＲＯＭ１３ｂに記録した音声認識プログラムと、マイク１８(音声入力手段）より入力した音声情報に基づいて、マイコン１３ａが所定の処理を実行することにより実現される構成としている。これにより、マイコン１３ａとＲＯＭ１３ｂとは音声認識手段を実現する。ＲＯＭ１３ｂに記録された音声認識プログラム１００の一例としては、例えば、Juliusという音声認識ソフトが用いられて、膨大な音声パターンと言語パターンの統計データを集積することにより実現される。具体的には、ＲＯＭ１３ｂには、音声認識プログラムとして、音響モデルパターンテーブル１００ａ、コマンドテーブル１００ｂ（画質／音質対応付け手段）、識別情報抽出プログラム１００ｃ、音響モデルパターン取得プログラム１００ｄ、コマンド情報抽出プログラム１００ｅ、算出プログラム１００ｆ、さらには、上記各プログラムの制御を行う制御プログラム１００ｇ等か記録されている。
【００３５】
音響モデルパターンテーブル１００ａは、ユーザを識別する音声情報からなる識別情報と、音声信号の周波数パターンに関する音響モデルパターンとを対応付けて記録することができる。さらに、一つの識別情報に対して複数の音響モデルパターンとを対応付けて記録可能に構成され、算出プログラム１００ｆにより算出された音声認識率を、識別情報ごとに、且つ音響パターン毎に記録したテーブルである。具体的には、音響モデルパターンテーブルには、例えば、ユーザ１は、音響情報「ＡＡＡ」からなる識別情報を有し、かかる識別情報に対して複数の音響モデルパターンＡ、Ｂ、Ｃと、音声認識率が対応付けられて記録されている。
【００３６】
コマンドテーブル１００ｂは、ＨＤＤ内蔵型ディジタルテレビジョン１０を制御するための音声情報からなるコマンド情報と、認識情報とを対応付けて記録したテーブルである。本発明のコマンドテーブル１００ｂにおけるコマンド情報は、録画時における画質と音質の設定が記録されている。
【００３７】
識別情報抽出プログラム１００ｃは、マイコン１３ａに、マイク１８により取得された音声情報に基づき音声認識を行い、識別情報を抽出する機能を有するプログラムである。音声認識の基本原理は、音響モデル（音素（ローマ字一文字にほほ相当）や音節（かな１文字に相当））の周波数パターンを保持し、単語辞書と呼ばれるデータを参照しながら、入力された音声の音声波形信号から単音節部分を抜き出した音節列信号とマッチングを行い、音声の認識を行う。
【００３８】
具体的には、マイコン１３ａは、マイク１８より取得された音声情報の音声認識を予め設定された音響モデルパターンを用いて行い、音響モデルパターンテーブル１００ａに記録された識別情報の中から一致する識別情報を抽出する。また、音響モデルパターンテーブル１００ａに記録される識別情報は新たに記録させることが可能である。具体的な方法としては、後述する制御プログラム１００ｇによる設定時に、ユーザがマイク１８を用いて音声情報を入力することにより新たな識別情報を記録させることができる。
【００３９】
音響モデルパターン取得プログラム１００ｄは、マイコン１３ａに、識別情報抽出プログラム１００ｃの実行により抽出された識別情報に対応する音響モデルパターンを音響モデルパターンテーブル１００ａから取得する機能を実現するプログラムである。具体的には、マイコン１３ａは、音響モデルパターン取得プログラム１００ｄを実行することにより、識別情報抽出プログラム１００ｃの実行により抽出された識別情報に対応する音響モデルパターンを音響モデルパターンテーブル１００ａより取得し、また、識別情報抽出プログラム１００ｃにより抽出された識別情報に複数の音響モデルパターンが対応付けされて音響モデルパターンテーブル１００ａに記録されている場合、当該識別情報に対応付けられた音響モデルパターンの音声認識率の高い順に音声モデルパターンを取得する。例えば、「いつもの」からなる識別情報が抽出された場合、マイコン１３ａは、最初に、音声認識率の一番高い音響モデルパターンＡを取得し、次に、音響モデルパターンＢ、音響モデルパターンＣの順で取得する。
【００４０】
コマンド情報抽出プログラム１００ｅは、マイコン１３ａに、マイク１８により取得された音声情報の音声認識を行い、音声認識結果に基づくコマンド情報を抽出する機能を実現させるプログラムである。具体的には、マイコン１３ａは、コマンド情報抽出プログラム１００ｅを実行することにより、音響モデルパターン取得プログラム１００ｄにより取得された音響モデルパターンを用いて音声情報の音声認識を行い、コマンドテーブル１００ｂに記録されたコマンド情報の中から一致するコマンド情報を抽出する。
【００４１】
算出プログラム１００ｆは、マイコン１３ａに音声認識結果に基づく、音声認識率を算出するプログラムである。具体的には、マイコン１３ａは、算出プログラム１００ｆを実行することにより、音響モデルパターンテーブル１００ａに記録された、識別情報毎ごとであって、且つ音響モデルパターンテーブル毎に、コマンド情報抽出プログラム１００ｅの実行による音声認識率を算出する。
【００４２】
制御プログラム１００ｇは、コマンド情報抽出プログラム１００ｅが抽出したコマンド情報に基づいて、マイコン１３ａが実行する処理の制御を行う。本発明では、制御プログラムは、記録時における記録方法の選択をマイコン１３ａに実行させる。これによりマイコン１３ａは、認識結果処理手段を実現する。また、前述したように、制御プログラム１００ｇは、コマンドテーブル１００ｂに記録された識別情報や、コマンド情報の書き換えを受け付ける。以下に制御プログラム１００ｇに記録される具体的なプログラムの説明を行う。
【００４３】
（１−３）録画モード設定方法
音声認識を用いて映像の記録を行うために、本発明の実施の形態でのＨＤＤ内蔵型ディジタルテレビジョン１０は、ＲＯＭ１３ｂにマイク１８を介して入力された音声をマイコン１３ａが音声認識するための音声認識プログラムを記録するとともに、マイク１８から取得された音声情報が、コマンドテーブルに記録された認識情報と一致する場合は、マイコン１３ａが、録画時における画質と音質の設定をＨＤＤ記録部１５に指示する構成としてる。このとき、マイコン１３ａは、入力された音声情報に基づいて、特定のコマンド情報を選択するのに、図２に示すコマンドテーブルを参照して、その後の操作を実行する。  
【００４４】
図２は、マイコン１３ａが参照するコマンドテーブルを表すイメージ図である。図３は、制御プログラム１００ｇによりマイコン１３ａが実行するフローチャートである。ユーザがマイク１８を用いて予め設定された音声を入力すると、ディジタル変換が行われた後、マイコン１３ａは音声情報を取得したことを検出する（ステップＳ１００）。次に、マイコン１３ａは、ＲＯＭ１３ｂに記録された音声認識プログラム１００を起動させ、取得した音声情報を音声認識する（ステップＳ１１０）。さらに、マイコン１３ａは音声認識により認識された音声情報と、ＲＯＭ１３ｂに記録されたコマンドテーブル１００ｂに記録された認識情報とを比較する（ステップＳ１２０）。
【００４５】
図２より、コマンドテーブル１００ｂは、左端の列より音声認識の対象としての認識情報が記録され、右側に認識された認識情報により実行されるコマンド情報である、画質と音質の録画時における設定モードが記録されている。コマンドテーブル１００ｂの組合せの一例として、映画等の画質と音質の両方を重要視したい場合に対しては、画質をＳＰにて記録し、音質をＤ／Ｍ２にて記録する。また、通常の番組の場合は、画質をＳＰにて記録し、音質をＤ／Ｍ１にて記録する。さらに、画質を重要視しない例えばニュースの場合は、画質をＬＰにて記録し、音質をＤ／Ｍ１にて記録する。そして画質は重要視しないが、音質を重要視する音楽番組においては、画質をＬＰにて記録し、音質をＤ／Ｍ２にて記録する。マイコン１３ａは、音声認識により認識した認識情報と、コマンドテーブル１００ｂに記録された認識情報とを比較することにより録画時における記録モードを選択する。上述したコマンド、並びに画質と音質のモードは適宜変更可能であり、後述する方法にてユーザの嗜好に合わせて音声にて入力するコマンドと、選択される画質と音質とを設定する。これにより、コマンドテーブルは、画質／音質対応付け手段を実現する。
【００４６】
上述したコマンドテーブル１００ｂとの比較により、入力された音声情報が認識情報に一致するとマイコン１３ａが判断した場合は(ステップＳ１３０）、コマンド情報抽出プログラム１００ｅにより、コマンドテーブル１００ｂのコマンド情報が取得され、マイコン１３ａは、エンコーダ１５ｂにコマンド情報抽出プログラム１００ｅにより抽出された画質と音質の録画モードを設定するよう指示を出す(ステップＳ１４０）。逆に、入力された音声情報が認識情報に一致しない場合は、再度音声の入力を受け付ける。具体的には、マイク１８により取得された音声情報を「映画を録画」と判断した場合には、マイコン１３ａは、コマンドテーブルに記録された認識情報の内「映画を記録」に対応したコマンド情報を参照して、記録されたコマンド情報を実行するようコントローラ１５ｄに指示する。コントローラ１５ｄは、マイコン１３ａからの指示に基づいてエンコーダ１５ｂに選択された録画モードを実行するよう指示を出し、圧縮されたビデオ信号をＨＤＤ１５ａに記録する。これによりマイコン１３ａは、認識結果処理手段を実現する。
【００４７】
（１−４）コマンドテーブル作成方法
上述したコマンドテーブル１００ｂの各設定の組合せ、および記録される認識情報とコマンド情報とは、前述したように、制御プログラム１００ｇを用いて、コマンドテーブル１００ｂの記録を書き換えることにより、ユーザは任意選択することが可能である。具体的には、図２では、コマンドテーブルのコマンドは「映画を録画」「普通に録画」「音楽を録画」「小さく録画」の認識情報であるが、各認識情報の文字を省略して音声認識にて判断される音声情報を「映画」「普通」「音楽」「小さく」としてもよい。これにより、ユーザの嗜好に合った、音声情報にて録画設定を行うことができるため、使い勝手のよい操作性を得ることができる。以下に、コマンドテーブルの作成方法について説明を行う。  
【００４８】
ユーザが、リモコン装置３０を操作してメニュー画面上で、音声認識設定モードを選択すると、マイコン１３ａは以下に示すプログラムを実行する。図４は、音声認識設定モードにて実行されるプログラムを表すフローチャートである。リモコン装置３０の操作によりメニュー画面上で、ユーザが音声情報を設定するための「音声認識設定モード」を選択すると、画面上に認識情報が表示されていないコマンドテーブル１００ｂが表示される（ステップＳ２００）。このとき、ユーザはリモコン装置３０の操作によりコマンドテーブル１００ｂの各空欄に画質と音質の設定を組み合わせていく。
【００４９】
次に、マイコン１３ａを用いて、音声認識の対象とする認識情報を音声にて入力させ、マイコン１３ａが音声情報を適切に判断した場合は（ステップＳ２１０）、マイコン１３ａは、スケーラ部１３ｄのＯＳＤ部に音声認識をした文字列を表示させるよう表示を出す。また、入力した音声情報に対応する、コマンド情報をリモコン装置３０を用いて選択していく（ステップＳ２２０、Ｓ２３０）。このとき、ユーザが画面を確認しながら、表示されコマンドテーブルが正しいと判断した場合は（ステップＳ２４０）、リモコン装置３０を用いて音声認識設定モードを終了させる。これによりマイコン１３ａはＲＯＭ１３ｂにコマンドテーブル１００ｂを記録する（ステップＳ２４０）。また、上述した例では、音声認識を用いて認識情報の設定を行っているが、認識情報の設定はこれに限定されず、リモコン装置３０を用いて直接入力するものであっても良い。以上説明したように、ユーザは、一括して行う画質と音質との組み合わせを自由に行うことが可能であるとともに、音声認識をさせる認識情報を嗜好に合わせて設定することが可能となる。
【００５０】
（２）実施の形態のまとめ
上述した説明のように、本発明の実施の形態におけるＨＤＤ内蔵型ディジタルテレビジョン１０は、録画時にユーザからの音声入力に基づいて、予め設定された画質と音質の設定を実行する。これにより、画質と音声の設定を音声にて設定することが可能となり、リモコン装置を用いた面倒な操作が不要となる。また、入力される音声は、ユーザの所望のものに変更することが可能となるため、ユーザの使い勝手のよい操作性を実現することが可能となる。
【００５１】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００５２】
【図１】ＨＤＤ内蔵型ディジタルテレビジョンのブロック構成図である。
【図２】マイコンが参照するコマンドテーブルを表すイメージ図である。
【図３】制御プログラムによりマイコンが実行するフローチャートである。
【図４】音声認識設定モードにて実行されるプログラムを表すフローチャートである。
【図５】従来のＨＤＤ内蔵型ディジタルテレビジョンのブロック構成図である。
【符号の説明】
【００５３】
１０…ＨＤＤ内蔵型ディジタルテレビジョン、１１…チューナ部、１２…同期分離回路、１３…制御部、１３ａ…マイコン、１３ｂ…ＲＯＭ、１３ｃ…ＲＡＭ、１３ｄ…スケーラ部、１３ｅ…音声回路、１４…リモコンＩ／Ｆ、１５…ＨＤＤ記録部、１５ａ…ＨＤＤ、１５ｂ…エンコーダ、１５ｃ…デコーダ、１５ｄ…コントローラ、１６…表示パネル、１７…スピーカ、１８…マイク、１９…外部入力端子、２０…アンテナ、３０…リモコン装置、１００…音声認識プログラム、１００ａ…音響モデルパターンテーブル、１００ｂ…コマンドテーブル、１００ｃ…識別情報抽出プログラム、１００ｄ…音響モデルパターン取得プログラム、１００ｅ…コマンド情報抽出プログラム、１００ｆ…算出プログラム、１００ｇ…制御プログラム
【図１】
2008103909.tif 000003
【図２】
2008103909.tif 000004
【図３】
2008103909.tif 000005
【図４】
2008103909.tif 000006
【図５】
2008103909.tif 000007